(57)【要約】  【課題】最下部の貯蔵室の収納量を増加させた上に、内容積を損なうことなく、蒸発皿の水の蒸発量を十分に確保し、冷蔵庫を傾けても蒸発皿の水をこぼれ難くする。  【解決手段】内箱２１と外箱２２と発泡断熱材２３からなる断熱箱体２と、断熱箱体２の天面もしくは背面上部に圧縮機３３を配設し、断熱箱体２の下部に蒸発皿１５の後方部壁５０を備えたことにより、最下部の貯蔵室の収納量を増加させた上に、内容積を損なうことなく、蒸発皿１５の水の蒸発量を十分に確保し、冷蔵庫を背面側の傾けた際においても、蒸発皿の水をこぼれ難くできる。【選択図】図１
2007085693.tif 000002
【特許請求の範囲】
【請求項１】
内箱と外箱と発泡断熱材からなる断熱箱体と、断熱箱体の天面もしくは背面上部に圧縮機を配設し、前記断熱箱体下部に蒸発皿を備え、蒸発皿の後方部壁の高さを前方より高くしたことを特徴とする冷蔵庫。
【請求項２】
蒸発皿の後方部壁に切欠きを設けたことを特徴とする請求項１に記載の冷蔵庫。
【請求項３】
蒸発皿の後方部壁の切欠きに平面部を設けたことを特徴とする請求項２に記載の冷蔵庫。
【請求項４】
蒸発皿の後方部壁の切欠きに適当な間隔でリブを設けたことを特徴とする請求項２または３に記載の冷蔵庫。
【請求項５】
蒸発皿の後方部壁の切欠きを複数個設けたことを特徴とする請求項２から４のいずれか一項に記載の冷蔵庫。
【請求項６】
蒸発皿の後方部壁の切欠き部に板部材を取付けたことを特徴とする請求項２から５のいずれか一項に記載の冷蔵庫。
【請求項７】
蒸発皿の後方部壁に排水口を設けたことを特徴とする請求項１に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むと共に、その使い勝手や収納性の向上が求められている。
【０００３】
従来のこの種の冷蔵庫は、下奥部の使い勝手の向上を図るために、冷蔵庫本体の上部に冷凍サイクルの構成部品を収納する方法が取られていた。また、蒸発皿は蒸発皿内滞留水の蒸発量の向上、冷蔵庫運搬時の水漏れ防止の観点から冷蔵庫最下部に収納するという方法がとられていた（たとえば、特許文献１参照）。
【０００４】
図７は、特許文献１に記載された従来の冷蔵庫の構成を示すものである。
【０００５】
図７に示すように、冷蔵庫本体１は断熱箱体２を有し、断熱箱体２の前方開放面には扉３が設けられている。断熱箱体２はルーフパネル４、ベースパネル５、サイドパネル６、リアパネル７で組み立てられている。断熱箱体２の内部には冷却ユニット８が取りつけられている。冷却ユニット８は冷却ダクト９、庫内ファン１０、冷却器１１、排水パイプ１２で構成されている。排水パイプ１２の後端部は、リアパネル７の内部に埋設された排水路１３に接続しており、排水路１３の下端部はベースパネル５の下面に取りつけられた排水部材１４の上方に臨んでおり、排水部材１４の前方端部は、ベースパネル５の下面に配置された蒸発皿１５の上方に臨んでいる。
【０００６】
また、断熱箱体２のルーフパネル４の上面には機械室１６が配設されている。機械室１６の機械室カバー１７内には、圧縮器（図示せず）、凝縮器（図示せず）、凝縮器冷却ファン（図示せず）が配設されている。機械室カバー１７の右側に吸気口１８、左側及び後側には吸排気口１９が設けられている。機械室カバー１７の後方下部からは、リアパネル７に沿って、排気ダクト２０が設けられている。排気ダクト２０は、機械室１６の機械室カバーと粗同等の幅を有している。
【０００７】
以上の構成において、冷却器１１の除霜時に発生する除霜水は、排水パイプ１２から排水路１３を経て、排水部材１４を通り、蒸発皿１５に排水される。
【０００８】
また、機械室１６の運転時に凝縮器冷却用ファンが回転駆動し、吸気口１８より吸気し、左側の排気口１９から排出されるとともに、その一部が後側の排気口１９にも排気される。このように、排出された排気は、矢印にて示すように、排気ダクト２０を通り、下方に排出される。排出された排気はリアパネル７及び蒸発皿１５を加温し、蒸発皿内の水を蒸発させている。
【特許文献１】特開平１１−６３７９０号公報
【発明の開示】
【発明が解決しようとする課題】
【０００９】
しかしながら、上記従来の構成では、断熱箱体の最上部から最下部に空気が送られるため、冷蔵庫の高さが１８００ｍｍ程度となっている近年では、通風抵抗が非常に大きく、蒸発皿内の水を蒸発させるために十分な送風面積が必要である。よって、十分な送風面積を有すると、収納容積が低下するという問題があった。
【００１０】
本発明は、上記従来の課題を解決するもので、最下部の貯蔵室の収納量を増加させた上に、内容積を損なうことなく、蒸発量の十分な確保を図り、蒸発皿から水が溢れ出るのを防止できる冷蔵庫を提供することを目的とする。
【課題を解決するための手段】
【００１１】
上記従来の課題を解決するために、本発明の冷蔵庫は、断熱箱体の天面もしくは背面上部に圧縮機を配設し、断熱箱体下部に蒸発皿を備えたものにおいて、蒸発皿の後方部壁高を高くしたものである。これにより、蒸発皿の容量を高めるとともに、冷蔵庫を背面側へ傾けた際に水が溢れ出るのを防止できる。
【発明の効果】
【００１２】
本発明の冷蔵庫は、最下部の貯蔵室の収納量を増加させた上に、内容積を損なうことなく、蒸発皿の水の蒸発量を十分に確保する冷蔵庫を提供することができる。
【００１３】
また、構造も簡単であるため、組立てや解体の作業を容易にすることができ、しかも安価に製品を提供することができる。また、冷蔵庫本体を背面側へ傾けた際にも蒸発皿から水が溢れ出るのを防止できる。
【発明を実施するための最良の形態】
【００１４】
請求項１に記載の発明は、内箱と外箱と発泡断熱材からなる断熱箱体と、断熱箱体の天面もしくは背面上部に圧縮機を配設し、断熱箱体下部に蒸発皿を備え、蒸発皿の後方部壁の高さを前方より高くしたことにより、冷蔵庫本体を背面側へ傾けた際に貯水された水が溢れ出す可能性が削減される。
【００１５】
請求項２に記載の発明は、請求項１に記載の発明において、蒸発皿の後方部壁に切欠きを設けたことにより、蒸発皿の水を排水する際、冷蔵庫あるいは蒸発皿を傾けて切欠き部から排水すれば別容器などに受け易くすることができる。
【００１６】
請求項３に記載の発明は、請求項２に記載の発明において、蒸発皿の後方部壁の切欠きに平面部を設けたことにより、蒸発皿の切欠き部から排水する際、別容器等に受ける場合水の流れが安定し作業性を向上させることができる。
【００１７】
請求項４に記載の発明は、請求項２または３に記載の発明において、蒸発皿の後方部壁の切欠きに適当な間隔でリブを設けたことにより、蒸発皿の切欠き部に子供などが、指を挿入しようとしてもリブによって挿入が防止され指詰めなどを防止できる。
【００１８】
請求項５に記載の発明は、請求項２から４のいずれか一項に記載の発明において、蒸発皿の後方部壁の切欠きを複数個設けたことにより、蒸発皿の水を排水する際の時間が短縮できる。
【００１９】
請求項６に記載の発明は、請求項２から５のいずれか一項に記載の発明において、蒸発皿の後方部壁の切欠き部に板部材を取付けたことにより、切欠き部に蓋をすることができ、排水時以外閉じておけば貯水量を増加させることができる。
【００２０】
請求項７に記載の発明は、請求項１に記載の発明において、蒸発皿の後方部壁に排水口を設けたことにより、蒸発皿の水を排水する際、冷蔵庫あるいは蒸発皿を傾けて切欠き部から排水すれば別容器などに受け易くすることができる。
【００２１】
以下、本発明の実施の形態について、図面を参照しながら説明するが、従来例または先に説明した実施の形態と同一構成については同一符号を付して、その詳細な説明は省略する。なお、この実施の形態によって、この発明が限定されるものではない。
【００２２】
（実施の形態１）
図１は、本発明の実施の形態１における冷蔵庫の概略断面図を示すものであり、図２は同実施の形態の冷蔵庫の蒸発皿の斜視図を示し、図３は同実施の形態の冷蔵庫の蒸発皿の要部拡大斜視図を示し、図４は同実施の形態の冷蔵庫の蒸発皿と背面下部カバーの要部拡大斜視図を示すものである。
【００２３】
図１から４において、冷蔵庫本体１は複数の断熱区画に区分されている断熱箱体２と各断熱区画に設けられた扉にて構成されている。断熱箱体２はＡＢＳなどの樹脂体を真空成型した内箱２１とプリコート鋼板などの金属材料を用いた外箱２２とで構成された空間に発泡断熱体２３を注入してなる断熱壁を備えている。発泡断熱体２３はたとえば硬質ウレタンフォームやフェノールフォームやスチレンフォームなどが用いられる。発泡材としてはハイドロカーボン系のシクロペンタンを用いると、温暖化防止の観点でさらによい。
【００２４】
断熱箱体２は、上から冷蔵室２４、野菜室２５と冷凍室２６の構成となっている。各断熱区画にはそれぞれ断熱扉がガスケット２７を介して設けられている。上から冷蔵室扉２８、野菜室扉２９、冷凍室扉３０である。
【００２５】
冷蔵室２４は冷蔵保存のために凍らない温度を下限に通常１〜５℃で設定されている。また、貯蔵ケース３１は肉魚などの保鮮性向上のため比較的低めの温度、たとえば−３〜１℃で設定される。野菜室２５は冷蔵室２４と同等もしくは若干高い温度設定の２℃〜７℃とすることが多い。低温にするほど葉野菜の鮮度を長期間維持することが可能である。
【００２６】
冷凍室２６は冷凍保存のために通常−２２〜−１８℃で設定されているが、冷凍保存状態の向上のために、たとえば−３０や−２５℃の低温で設定されることもある。
【００２７】
断熱箱体２は天面後方部を窪ませた凹み部３２を設けてある。凹み部３２には機械室１６が設けられており、機械室１６は圧縮器３３を収納している。
【００２８】
凹み部には上面と背面が一体になった機械室カバー１７が設けられており、機械室カバー１７の上面には外気を取り入れるための吸入口（図示せず）と背面には外気を排出するための排気口１９が設けられている。
【００２９】
野菜室２５と冷凍室２６の背面に冷却室３６が設けられ、冷却室３６は断熱性を有する第一の仕切り３７で野菜室２５及び冷凍室２６を仕切っている。野菜室２５と冷凍室２６は断熱性を有する第二の仕切り３８で仕切られている。
【００３０】
冷却室３６には、冷却器１１と、強制対流式による庫内ファン１０と、冷却時に冷却器１１に付着する霜を除霜するラジアントヒータ３９と、除霜された水を受けるドレンパン４０と、ドレンパン４０に接続された排水管４１が断熱箱体２の底面を経由し、断熱箱体２の底面下部に設けられた蒸発皿１５に排水するよう構成された除霜水排水機構４２が設けられている。
【００３１】
断熱箱体２の底面下部に設けられた蒸発皿１５は、蒸発皿１５の表面積を拡大させるために浅広く形成されている。断熱箱体２の底面には浸漬パイプ４３が設けられており、蒸発皿１５に浸る形状となっている。蒸発皿１５、浸漬パイプ４３が収納されている部屋には背面下部カバー４９が備えられている。
【００３２】
蒸発皿１５の後方部壁５０は、前方部分の壁高さより高く設定されている。また、蒸発皿１５の後方部壁５０には、切欠き５１形状が設けられている。また、切欠き５１形状には、切欠き５１に沿うかたちで蒸発皿１５から外側に向かい平面部５２が設けられている。さらに、切欠き５１にはリブ５３が適当な間隔で設けられており、背面下部カバー４９については切欠き５１部に適当な隙をもった穴５４を設け、切欠き５１は外部に露出する構造になっている。
【００３３】
以上のように構成された冷蔵庫について、以下その動作、作用を説明する。
【００３４】
まず、冷凍サイクルの動作について説明する。庫内の設定された温度に応じて制御基盤（図示せず）からの信号により冷凍サイクルが動作して冷却運転が行われる。圧縮機３３の動作により吐出された高温高圧の冷媒は、スパイラルフィン型凝縮器３４と、凝縮パイプ４６と、浸漬パイプ４３にて放熱して凝縮液化し、キャピラリ（図示せず）に至る。その後、キャピラリではサクションライン（図示せず）と熱交換しながら減圧されて低温低圧の液冷媒となって冷却器１１に至る。
【００３５】
庫内ファン１０の動作により、各貯蔵室内の空気と熱交換されて冷却器１１内の冷媒は蒸発気化する。低温の冷気をダンパ（図示せず）などで分配することで各室の冷却を行う。冷却器１１を出た冷媒はサクションラインを経て圧縮機３３へと吸い込まれる。
【００３６】
一定時間、各室の冷却を行った後、冷却器１１に付着した霜を除去するために、圧縮器３３を停止し、ラジアントヒータ３９に通電される。すると、冷却器１１に付着した霜が溶解し、ドレンパン４０上に滴下し、排水管４１を経由して、蒸発皿１５に滞留する。
【００３７】
冷却器１１の霜が除去された後、ラジアントヒータ３９の通電が終了し、再度、圧縮器３３が動作する。蒸発皿１５に滞留した水は圧縮器３３の動作中、浸漬パイプ４３により加熱され、蒸発皿１５より蒸発する。
【００３８】
そして、本発明の形態においては、蒸発皿の後方部壁は、近傍部分の壁高さより高く設定したことにより、移動時等、冷蔵庫本体を背面側へ傾けた際においても、水が溢れる可能性を低減させることができる。
【００３９】
また、蒸発皿の後方部壁には切欠き形状を設けたことにより、蒸発皿に貯水された水を排水する際、冷蔵庫を背面側へ傾けるあるいは蒸発皿を背面側へ傾けてやれば、切欠き形状部から水が流れ出すので容器等へ水を受ける場合作業を容易にすることができる。
【００４０】
また、切欠き形状には、切欠きに沿うかたちで蒸発皿から外側に向かい平面部を設けたため、蒸発皿の切欠き部から排水する際、別容器等に受ける場合水の流れが安定し、作業性が向上される。
【００４１】
また、切欠き部にリブを適当な間隔で設けたことにより、例えばリブの間隔を指挿入が困難な寸法に設定してやれば、指を切欠き部に挿入したことによる、指詰めを防止できる。
【００４２】
また、切欠き形状を複数個設けたため、切欠き部から排水するときの水流出が早くなり排水作業の時間短縮を図ることができる。
【００４３】
（実施の形態２）
図５は本発明の実施の形態２における冷蔵庫の蒸発皿の斜視図を示すものである。なお、従来技術と同一構成については同一符号を付し、実施の形態１と同様の動作については説明を省略する。
【００４４】
蒸発皿１５の後方部壁５０の切欠き５１部に別体にて板部材５５を取付けたものである。本発明の形態においては、切欠き部に蓋をすることができ、排水時以外閉じておけば貯水量を増加させることができ、排水時は板部材を外せば排水が容易になる。
【００４５】
（実施の形態３）
図６は本発明の実施の形態３における冷蔵庫の蒸発皿の斜視図を示すものである。なお、従来技術と同一構成については同一符号を付し、実施の形態１と同様の動作については説明を省略する。
【００４６】
蒸発皿１５の後方部壁５０に排水口５６を設けたものである。本発明の形態においては、蒸発皿の後方部壁には排水口を設けたことにより、蒸発皿に貯水された水を排水する際、冷蔵庫を背面側へ傾けるあるいは蒸発皿を背面側へ傾けてやれば、排水口から水が流れ出すので容器等へ水を受ける場合の作業を容易にすることができる。
【産業上の利用可能性】
【００４７】
以上のように、本発明にかかる冷蔵庫は、断熱箱体の天面もしくは背面上部に圧縮機を配設し、断熱箱体下部に蒸発皿を備えたものにおいて、蒸発皿の後方部壁高を高くしたものであり冷蔵庫を背面側へ傾けた際、蒸発皿から水が流出するのを防止できるものであり、同様の冷却貯蔵庫等にも適用できる。
【図面の簡単な説明】
【００４８】
【図１】本発明の実施の形態１における冷蔵庫の概略断面図
【図２】本発明の実施の形態１における冷蔵庫の蒸発皿の斜視図
【図３】本発明の実施の形態１における冷蔵庫の蒸発皿の要部拡大斜視図
【図４】本発明の実施の形態１における冷蔵庫の蒸発皿と背面下部カバーの要部拡大斜視図
【図５】本発明の実施の形態２における冷蔵庫の蒸発皿の斜視図
【図６】本発明の実施の形態３における冷蔵庫の蒸発皿の斜視図
【図７】従来の冷蔵庫の概略断面図
【符号の説明】
【００４９】
２    断熱箱体
１５  蒸発皿
２１  内箱
２２  外箱
２３  発泡断熱材
３３  圧縮機
５０  後方部壁
５１  切欠き
５２  平面部
５３  リブ
５４  穴
５５  板部材
５６  排水口
【図１】
2007085693.tif 000003
【図２】
2007085693.tif 000004
【図３】
2007085693.tif 000005
【図４】
2007085693.tif 000006
【図５】
2007085693.tif 000007
【図６】
2007085693.tif 000008
【図７】
2007085693.tif 000009